(57)【要約】【課題】測定作業を効率的にし、さらに、精度の良い測定を行うことができる液体成分分析装置を提供する。【解決手段】液体成分分析装置（１）は、試料格納容器（２０）と、チップ（５１）と、分析用発光部（５４）と、分析用受光部（５５）と、分析用受光部（５５）が受光した透過光量に基づいて検査液の成分を分析する制御部（２）と、チップ（５１）に送液する前に試料格納容器（２０）内の検査液の濁度を測定する濁度測定部（発光部（１０）、受光部（３０）、制御部（２））とを備える。【選択図】図１
2016218020.tif 000002
【特許請求の範囲】
【請求項１】
検査液を格納する格納容器と、
前記格納容器から送液された検査液の成分を分析するための分析容器と、
前記分析容器内の検査液に光を照射する第１照射部と、
前記分析容器内の検査液を透過した光を受光する第１受光部と、
前記第１受光部が受光した透過光量に基づいて前記検査液の成分を分析する分析部と、
前記分析容器に送液する前に前記格納容器内の検査液の濁度を測定する濁度測定部とを備えることを特徴とする液体成分分析装置。
【請求項２】
前記濁度測定部により測定された検査液の濁度に基づいて、前記検査液の成分の分析が可能か否かを判定する判定部をさらに備える請求項１に記載の液体成分分析装置。
【請求項３】
前記格納容器から前記分析容器に前記検査液を送液する送液器をさらに備え、
前記検査液の成分の分析が可能と前記判定部が判断した場合に前記検査液を送液し、前記検査液の成分の分析が不可能と前記判定部が判断した場合に前記検査液を送液しないように前記送液器を制御する制御部をさらに備える請求項２に記載の液体成分分析装置。
【請求項４】
前記濁度測定部が、
前記格納容器内の検査液に光を照射する第２照射部と、
前記格納容器内の検査液を透過した光を受光する第２受光部と、
前記第２受光部が受光した透過光量に基づいて前記検査液の濁度を測定する測定部とを有する請求項１から３のいずれか１項に記載の液体成分分析装置。
【請求項５】
前記第１照射部は、前記分析容器内の検査液に光を照射する第１方向と、前記格納容器内の検査液に光を照射する第２方向とに光の出射方向が切り替え可能に設けられ、
前記濁度測定部が、
前記第１照射部により第２方向に出射されて前記格納容器内の検査液を透過した光を受光する第２受光部と、
前記第２受光部が受光した透過光量に基づいて前記検査液の濁度を測定する測定部とを有し、
前記第１受光部は、前記第１照射部により第１方向に出射されて前記分析容器内の検査液を透過した光を受光する請求項１から３のいずれか１項に記載の液体成分分析装置。
【請求項６】
前記検査液の成分の分析が不可能と前記判定部が判断した場合に、前記格納容器から供給された検査液を濾過する濾過部をさらに備える請求項２又は３に記載の液体成分分析装置。
【請求項７】
前記濾過部により濾過された検査液が前記分析容器に供給される請求項６に記載の液体成分分析装置。
【請求項８】
前記濾過部により濾過された検査液が前記格納容器に供給される請求項６に記載の液体成分分析装置。
【発明の詳細な説明】
【技術分野】
【０００１】
本発明は液体成分分析装置に関し、特に土壌成分の分析に好適な液体成分分析装置に関する。
【背景技術】
【０００２】
農業の分野において、農作物の育成状態の管理のため、農作物の生育環境における土壌成分の分析が広く行われている。
【０００３】
一般的に、土壌分析装置としての液体成分分析装置は、採取した土壌に抽出用の液体を注入し、濾過を行うことで土壌の成分を抽出する。調整した土壌抽出液を複数の試験管に計量しながら注入し、その後、土壌成分毎に決められた試薬および希釈液を試験管に注入し発色させる。そして、比色表、比濁表、または、吸光光度法等を用いて数値換算することで測定が行われている。
【０００４】
しかしながら、上述の測定方法は、それぞれの土壌抽出液に試薬を混合する必要があり、そのために繰り返し作業が多くなる。また、測定したい土壌成分に応じた試薬を準備する必要もあり、煩雑性が高い。
【０００５】
土壌分析を頻繁に行うことにより、圃場ごとの細かい分析や、作付けごとの分析を行うことで、前作の影響を考慮した施肥設計を行うことができる。また、成育期間の長い作物についてはより短いスパンで定期的に分析を行うことで、追肥のタイミングや量を最適化することができ、結果として収穫量の増加や品質の安定化が望める。
【０００６】
しかしながら、上述した煩雑性の高さから分析の頻度を高めることは困難である。
【０００７】
近年では、このような問題点に鑑みて、簡易な方法で土壌抽出液と試薬等とを混合し、土壌成分を分析する手法が提案されている。
【０００８】
図１２は、特許文献１に開示されている試薬混合および液体成分分析装置１００を示したものであり、図１２の（ａ）は、従来の液体成分分析装置１００の概略図であり、図１２の（ｂ）は、従来の液体成分分析装置１００に備えられる収納カートリッジと、抽出液カートリッジとの嵌合を示す模式図である。
【０００９】
特許文献１に記載の液体成分分析装置１００は、図１２の（ａ）に示すように、発光部１０１、受光部１０２および収納カートリッジ１０３を備えている。収納カートリッジ１０３は、透明材からなり、土壌から抽出した土壌抽出液と試薬との混合液を収納するセル１０４が複数設けられている。特許文献１に記載の液体成分分析装置１００は、発光部１０１から出射された光が収納カートリッジ１０３内の混合液を透過し、受光部１０２により検出されることにより混合液の吸光度を測定し、吸光光度法により土壌成分の濃度を測定している。
【００１０】
図１２の（ｂ）に示すように、収納カートリッジ１０３には複数のセル１０４が一列に配置されている。各セル１０４には、所定量の試薬が予め収納されており、シール紙により密閉されている。また、液体成分分析装置１００は抽出液カートリッジ１０５をさらに備えている。抽出液カートリッジ１０５は複数のセル１０６が、複数のセル１０４に対応するように一列に配置されている。各セル１０６は、計量としての枡機能を有しており、土壌抽出液が収納されている。そして、測定前に抽出液カートリッジ１０５の下面を収納カートリッジ１０３の上面に（図１２の（ｂ）に矢印で示す方向に）押し込むことにより、収納カートリッジ１０３と抽出液カートリッジ１０５とを嵌合する。その後、抽出液カートリッジ１０５の底面を貫通させ、抽出液カートリッジ１０５の各セル１０６に収納されていた土壌抽出液を収納カートリッジ１０３のセル１０４に注入し、土壌抽出液と試薬との混合液を作製する。
【００１１】
このように、特許文献１に記載の液体成分分析装置１００においては、土壌抽出液と試薬との混合液の作製が容易であり、また、吸光光度法によって土壌成分の濃度の測定を行うため、精度のよい測定を行うことができる。
【先行技術文献】
【特許文献】
【００１２】
【特許文献１】特開２００７−４６９２２号公報（２００７年２月２２日公開）
【発明の概要】
【発明が解決しようとする課題】
【００１３】
しかしながら、特許文献１に記載の液体成分分析装置１００では、土壌から土壌成分を抽出するにあたり、採取した土壌と抽出用の液体を混合し、土の粒子などの不要な物質を除去するために濾過を行う必要がある。しかし、この際に、作業中の不手際や濾紙の保存状態、土壌の状態などにより、濾過した土壌抽出液に濁りが発生することがある。土壌抽出液を発色、白濁させて吸光光度法により濃度を測定する土壌分析に関して、土壌抽出液の濁りは透過光の光強度を減少させる要素になるため、算出した吸光度が実際の値よりも大きくなり、正確な分析が困難となる。さらに、土壌分析の発色に用いる試薬は測定できる濃度の範囲が定められているため、土壌抽出液の濁度によっては、吸光度の算出自体が不可能となる。
【００１４】
一般的には、土壌から土壌成分を抽出するにあたり、濾過後の土壌抽出液の濁度は測定者が目視で確認しており、作業を行うかを判定している。しかし、熟練した測定者においても、測定の可否を正確に判定することは困難である。測定が不可能なほど濁度の高い土壌抽出液に対して土壌分析を継続してしまった場合には、正確な測定結果は得られず測定試薬を損失してしまう。さらに液体成分分析装置によっては、土壌抽出液と発色用の試薬を混合するための容器が使い捨てとなっていることがあり、その場合には損失がさらに増大し、測定作業の効率が低下する。
【００１５】
本発明は、上記の問題に鑑みてなされたものであり、その目的は、測定作業の効率が増進し、さらに、精度の良い測定を行うことができる液体成分分析装置を提供することにある。
【課題を解決するための手段】
【００１６】
上記の課題を解決するために、本発明の一態様に係る液体成分分析装置は、検査液を格納する格納容器と、前記格納容器から送液された検査液の成分を分析するための分析容器と、前記分析容器内の検査液に光を照射する第１照射部と、前記分析容器内の検査液を透過した光を受光する第１受光部と、前記第１受光部が受光した透過光量に基づいて前記検査液の成分を分析する分析部と、前記分析容器に送液する前に前記格納容器内の検査液の濁度を測定する濁度測定部とを備えることを特徴とする。
【発明の効果】
【００１７】
本発明の一態様によれば、検査液の成分を分析する前に、検査液の濁度を測定するので、検査液の濁度が高い場合には、検査液の成分の分析を行わないようにすることができる。これにより、測定作業の効率が増進し、さらに、測定精度の良い測定を行うことができるという効果を奏する。
【図面の簡単な説明】
【００１８】
【図１】本発明の実施形態１に係る液体成分分析装置の構成を示す概略図である。
【図２】本発明の実施形態１に係る液体成分分析装置の発光部の構成を示す概略図である。
【図３】本発明の実施形態１に係る液体成分分析装置の試料格納容器、受光部、および液供給機構の構成を示す概略図である。
【図４】本発明の実施形態１に係る液体成分分析装置の試料成分測定部の構成を示す概略図である。
【図５】本発明の実施形態１に係る液体成分分析装置の動作を示すフローチャートである。
【図６】本発明の実施形態２に係る液体成分分析装置の試料格納容器、受光部、液供給機構、および試料成分測定部の構成を示すものであり、（ａ）は、照射光が試料格納容器へ向けて出射された様子を示す概略図であり、（ｂ）は、照射光がチップへ向けて出射された様子を示す概略図である。
【図７】本発明の実施形態３に係る液体成分分析装置の試料格納容器、および液供給機構の構成を示す概略図である。
【図８】本発明の実施形態４に係る液体成分分析装置の試料格納容器、および液供給機構の構成を示す概略図である。
【図９】本発明の実施形態５に係る液体成分分析装置の構成を示す概略図である。
【図１０】本発明の実施形態６に係る液体成分分析装置の構成を示す概略図である。
【図１１】本発明の実施形態７に係る液体成分分析装置の構成を示す概略図である。
【図１２】従来の液体成分分析装置の構成を示すものであり、（ａ）は従来の液体成分分析装置の構成を示す概略図であり、（ｂ）は従来の液体成分分析装置に備えられる収納カートリッジと、抽出液カートリッジとの嵌合を示す模式図である。
【発明を実施するための形態】
【００１９】
以下、本発明の実施の形態について、詳細に説明する。
【００２０】
〔実施形態１〕
（液体成分分析装置１の構成）
実施形態１に係る液体成分分析装置１の構成を図１〜図４に基づいて説明する。図面におけるそれぞれの構成要素の厚み、長さなどは、本発明の理解を助けるために示したものであり、本発明は、図示される構成に限定されるものではない。
【００２１】
図１は、実施形態１に係る液体成分分析装置１の構成を示す概略図である。
【００２２】
本実施形態の液体成分分析装置１は、吸光光度法により土壌成分の測定を行う液体成分分析装置である。液体成分分析装置１は、図１に示すように、発光部１０（第２照射部）と、試料格納容器２０（格納容器）と、受光部３０（第２受光部）と、液供給機構４０（送液器）と、試料成分測定部５０と、制御部２（分析部、判定部、測定部）と、警告部３とを備えている。
【００２３】
図２は、発光部１０の構成を示す概略図である。発光部１０は、図２に示すように、光源１１と、コリメートレンズ１２と、アパーチャ１３とを備えている。光源１１は、試料格納容器２０へ向けて光を出射する発光素子であり、本実施形態においては、白色ＬＥＤ（Ｌｉｇｈｔ  Ｅｍｉｔｔｉｎｇ  Ｄｉｏｄｅ）である。光源１１は、制御部２と接続されており、制御部２からの信号により発光、消灯が制御される。光源１１から出射された光は、コリメートレンズ１２により指向され、アパーチャ１３によりビーム径が調整される。アパーチャ１３を通過した光は、照射光１４として発光部１０から出射される。
【００２４】
図３は、試料格納容器２０、受光部３０、および液供給機構４０の構成を示す概略図である。
【００２５】
試料格納容器２０は、液体成分分析装置１に注入された土壌抽出液（検査液）を格納するための容器である。発光部１０から出射された照射光１４は、試料格納容器２０に導かれるようになっている。試料格納容器２０は、照射光１４を透過するように透明材で作製されていることが好ましく、例えば、シリコーン、ガラス、プラスチックなどで作製されている。試料格納容器２０の側面の面積は、照射光１４の照射面積よりも、十分大きく構成されている。試料格納容器２０は、シリコンチューブなどのチューブで液供給機構４０と接続しており、該チューブは容易に取り外すことができるようになっている。
【００２６】
受光部３０は、試料格納容器２０に対して発光部１０の反対側に設置されており、発光部１０から出射され、試料格納容器２０内の土壌抽出液を透過した照射光１４を受光する。受光部３０は、制御部２と接続されており、受光した照射光１４の光強度を測定し、制御部２へ信号として伝達することができる。制御部２は、受光部３０から送られた信号を受けて、土壌抽出液の濁度を算出する。
【００２７】
液供給機構４０は、図４を参照して後述する試料成分測定部５０のチップ５１（分析容器）へ、試料格納容器２０に注入された土壌抽出液を指定量送り出すための機構である。液供給機構４０は、チューブポンプ４１と、注入ノズル４２と、液通過路４３とを備えている。
【００２８】
チューブポンプ４１は、制御部２と接続されており、制御部２からの信号により、試料格納容器２０内の土壌抽出液を指定量送り出し、注入ノズル４２および液通過路４３を介して土壌抽出液を試料成分測定部５０のチップ５１に滴下・分注を行う。
【００２９】
図４は、試料成分測定部５０の構成を示す概略図である。試料成分測定部５０は、図４に示すように、チップ５１と、希釈液格納容器５２と、希釈液供給機構５３と、分析用発光部５４（第１照射部）と、分析用受光部５５（第１受光部）と、回転軸５６ａの回りに回転する回転機構５６とを備えている。
【００３０】
チップ５１は、円盤状にてなっており、回転軸５１ａを中心として、分析用発光部５４に対応する円周方向に沿って少なくとも２つのセルが形成されている。チップ５１は、回転機構５６の上部に設けられ、回転軸５１ａの回りに回転する。チップ５１は、回転軸５１ａが、回転機構５６の回転軸５６ａと一致するように、回転機構５６と接続されている。
【００３１】
チップ５１は、分析用発光部５４から出射された光を透過するように、透明材で作製されていることが好ましく、例えば、シリコーン、ガラス、プラスチックなどによって作製される。チップ５１は、チップ５１を安価な構成とするために透明性の高い合成樹脂で作製されていることがより好ましく、本実施形態では、チップ５１は、耐薬品性も兼ね備えている低密度ポリプロピレンで作製されている。チップ５１内のセルには、測定を行いたい成分に合わせてあらかじめ土壌抽出液を発色させるための試薬（発色用試薬）が封入されている。また、発色用試薬が封入されていないセルがあるとより好ましい。
【００３２】
希釈液格納容器５２は、チップ５１に注入された土壌抽出液を希釈させるための希釈液（例えば、純水など）を格納するための容器であり、外部から希釈液を注入できるようになっている。希釈液格納容器５２内の希釈液は、希釈液供給機構５３によって指定量がチップ５１の各セルに送り出される。希釈液供給機構５３の構成は、液供給機構４０と同様である。希釈液供給機構５３は、制御部２からの信号により、希釈液格納容器５２内の希釈液を、チップ５１のセルに滴下・分注を行う。
【００３３】
分析用発光部５４は、チップ５１へ照射光５７を出射するためのものであり、チップ５１のセルの上側に設けられる。分析用発光部５４の構成は、発光部１０の構成と同様であり、分析用発光部５４は、制御部２からの信号により、照射光５７をチップ５１へ向けて出射する。また、分析用発光部５４は、分析を行う成分に対応して、光源の波長を変更できるように構成されているとより好ましい。
【００３４】
分析用受光部５５は、分析用発光部５４の下方、かつ、チップ５１の下方に設けられる。分析用発光部５４から出射された照射光５７は、チップ５１のセルに注入された土壌抽出液、希釈液、および発色用試薬の混合液を透過し、分析用受光部５５により受光される。
【００３５】
回転機構５６は、チップ５１の下方に設けられており、回転軸５６ａを中心として、チップ５１を回転させる。回転機構５６は、制御部２と接続されており、制御部２からの信号に従ってチップ５１を回転駆動させる。本実施形態では、回転機構５６は、パルス制御可能なステッピングモータである。
【００３６】
回転機構５６により、チップ５１を回転させることができるため、液供給機構４０および希釈液供給機構５３から滴下された液体を、チップ５１の任意のセルに注入することが可能になる。さらに、回転機構５６によりチップ５１を回転させることによって、セル内にあらかじめ封入されていた発色用試薬と、セルに注入された土壌抽出液および希釈液とを、撹拌・混合させることができる。
【００３７】
制御部２は、発光部１０、受光部３０、液供給機構４０、試料成分測定部５０、および警告部３と接続しており、各部の動作を制御する。
【００３８】
警告部３は、制御部２からの信号を測定者に通知するためのものであり、例えば、ＬＥＤの光源である。警告部３は、制御部２と接続されており、制御部２からの信号に従って、発光する。警告部３は、上記の例に限られず、制御部２からの信号を測定者に通知することが可能であればどのような構成であっても構わない。警告部３は、上記のＬＥＤによる構成以外にも、例えば、音源、ディスプレイなどであってもよい。
【００３９】
（液体成分分析装置１の動作）
次に、本実施形態に係る液体成分分析装置１の動作について図５に基づいて説明する。図５は、液体成分分析装置１の測定手順を示すフローチャートである。図５に示すように、本実施形態に係る液体成分分析装置１の動作は、大きく分けて２つの工程に分けることができる。すなわち、初期時と通常時である。以下に、初期時と通常時のそれぞれについて詳細に説明する。
【００４０】
１．初期時
初期時においては、土壌抽出液の測定を行うかどうかを判断するための２つ設定値Ａ・Ｂを決定する。
【００４１】
まず、設定値Ａを決定する手順について説明する。試料格納容器２０内を空にした状態で、発光部１０から照射光１４を出射させ、試料格納容器２０を透過させて、受光部３０で受光させる。この際に、受光部３０で受光した光強度を設定値Ａとする（ステップＳ１）。つまり、設定値Ａは、試料格納容器２０内に何も格納されていない状態での光強度である。したがって、試料格納容器２０内に土壌抽出液が格納されている限り、格納されている土壌抽出液がどのような濁度であったとしても、受光部３０で受光する光の光強度は設定値Ａよりも小さくなる。
【００４２】
次に、設定値Ｂを決定する手順について説明する。あらかじめチップ５１に封入されている発色用試薬に対して、測定が不可能となる最小の濁度を有する試料を用意する。十分な量の該試料を試料格納容器２０に注入し、発光部１０から照射光１４を出射させ、試料格納容器２０を透過させて、受光部３０で受光させる。この際に、受光部３０で受光した光の光強度を設定値Ｂとする（ステップＳ２）。つまり、設定値Ｂは、試料格納容器２０内に測定が不可能な最小の濁度を有する試料が格納された状態での光強度である。
【００４３】
以上のように発光部１０、受光部３０および制御部２から構成される濁度測定部によって、設定値Ａおよび設定値Ｂを決定する。
【００４４】
上記の設定値Ａ・設定値Ｂを設定するための動作は、液体成分分析装置１の最初の起動時のみにおいて行う必要があり、一度各設定値を設定してしまえば、それ以降に液体成分分析装置１を起動する際には上記の設定値Ａ・設定値Ｂの設定を行う必要はない。
【００４５】
また、液体成分分析装置１を複数台所持しているなどの理由により、あらかじめ設定値Ａ・設定値Ｂがわかっている場合には、上記動作を行わずに、設定値Ａ・設定値Ｂを直接設定することも可能である。
【００４６】
２．通常時
次に通常時、つまり設定値Ａおよび設定値Ｂが設定されている時における、液体成分分析装置１の動作について説明する。
【００４７】
まず、土壌に水を加え、振とうし、濾過した濾液を土壌抽出液として試料格納容器２０に注入する（ステップＳ３）。
【００４８】
ここで、上記の説明では、土壌に水を加え、振とうし、濾過した濾液を土壌抽出液として試料格納容器２０に注入する構成であったが、本実施形態の液体成分分析装置１は、これに限定されない。例えば、試料格納容器２０に土壌を注入し、試料格納容器２０内で抽出用液体（例えば、純水など）を加えて振とう・濾過させて土壌抽出液を得てもよい。また、試料格納容器２０の上部に、試料格納容器２０と勘合した抽出用容器を設け、抽出用容器内において、土壌に抽出用液体を加えて振とう・濾過させて土壌抽出液を得た後、抽出用容器の底部を開栓し、土壌抽出液を試料格納容器２０へ注入する構成としてもよい。
【００４９】
次に、液体成分分析装置１の電源を入れ、設定値Ａおよび設定値Ｂが設定されていることを確認する（ステップＳ４）。その後、発光部１０から照射光１４が出射され（ステップＳ５）、試料格納容器２０を透過して、受光部３０によって受光される（ステップＳ６）。この時、受光部３０によって受光された照射光１４の光強度Ｉが制御部２へと伝達され、その強度に基づき、判定部としての制御部２によって、その後に行う動作が決定される。
【００５０】
まず、光強度Ｉが設定値Ａ以上であるかどうかを制御部２が判定する（ステップＳ７）。光強度Ｉが設定値Ａ以上であった場合（ステップＳ７でＹｅｓ）、試料格納容器２０内に十分な量の土壌抽出液が注入されていないと判定し、警告部３を動作させた後（ステップＳ９）、液体成分分析装置１の動作を終了させる（ステップＳ１０）。
【００５１】
光強度Ｉが設定値Ａ未満であった場合（ステップＳ７でＮｏ）、次に光強度Ｉが設定値Ｂ以下であるかを制御部２が判定する（ステップＳ８）。光強度Ｉが設定値Ｂ以下であった場合（ステップＳ８でＹｅｓ）、試料格納容器２０内の土壌抽出液の濁度が高すぎるため測定を行うことは不可能であると判定し、警告部３を動作させた後（ステップＳ９）、液体成分分析装置１の動作を終了させる（ステップＳ１０）。
【００５２】
光強度Ｉが設定値Ａよりも小さく、かつ、設定値Ｂよりも大きかった場合（ステップＳ８でＮｏ）、試料格納容器２０に土壌抽出液が十分に注入されており、また土壌抽出液の濁度に問題がないと制御部２が判定する。つまり、試料格納容器２０に注入された土壌抽出液の濁度が、土壌抽出液の成分の分析が可能であると制御部２が判定する。
【００５３】
本実施形態の液体成分分析装置１では、上記のように、発光部１０から照射され、試料格納容器２０内の土壌抽出液を透過し、受光部３０によって受光された照射光１４の光強度Ｉに基づいて、制御部２が試料格納容器２０に注入された土壌抽出液の濁度の判定を行っている。しかし、本発明の液体成分分析装置１はこの構成に限られない。例えば、発光部１０から照射され、試料格納容器２０内の土壌抽出液を透過し、受光部３０によって受光された照射光１４の光強度Ｉが、土壌抽出液の成分の分析が可能か否かを、制御部２の替わりに、操作者が警告部３の表示を確認することにより判定してもよい。
【００５４】
次に、試料格納容器２０に注入された土壌抽出液の濁度が、土壌抽出液の成分の分析が可能であると判定された場合（ステップＳ８でＮｏ）における動作について説明する。
【００５５】
まず、試料格納容器２０に注入された土壌抽出液の濁度が、土壌抽出液の成分の分析が可能であると判定された場合、制御部２からの信号を受けた液供給機構４０は、試料格納容器２０に注入された土壌抽出液を、試料成分測定部５０内のチップ５１の任意のセルに、規定量注入する（ステップＳ１１）。
【００５６】
ここで、本実施形態の液体成分分析装置１では、上記のように、試料格納容器２０から試料成分測定部５０内のチップ５１に土壌抽出液を送液するために制御部２からの信号により液供給機構４０を駆動させる構成となっている。しかし、本発明の液体成分分析装置１はこの構成に限られない。例えば、警告部３の表示などによって、操作者が、試料格納容器２０に注入された土壌抽出液の濁度が、土壌抽出液の成分の分析が可能であることを確認した後、液供給機構４０を駆動させるようにしてもよい。
【００５７】
次に、制御部２からの信号により、試料成分測定部５０の動作を行う（ステップＳ１２）。以下に具体的に説明する。希釈液供給機構５３により、希釈液格納容器５２内にあらかじめ注入されていた希釈液が、土壌抽出液が注入された上記のチップ５１内のセルに、規定量注入される。この操作により、あらかじめセル内に発色用試薬が封入されていたチップ５１内のセルでは、土壌抽出液と、希釈液と、発色用試薬との混合液が生成される。また、発色用試薬が封入されていないチップ５１のセルが設けられている場合には、該セルにおいて土壌抽出液と希釈液との混合液が生成される。
【００５８】
次に、回転軸５６ａを中心軸として、回転機構５６を回転させることにより、チップ５１のセル内の各混合液を撹拌・混合させる。
【００５９】
各混合液の撹拌・混合が終了すると、分析用発光部５４から照射光５７が出射され、チップ５１のセル内の混合液を透過し、分析用受光部５５によって受光される。
【００６０】
この時、あらかじめ発色用試薬が封入されていたセルでは、混合液は、発色用試薬により呈色反応を示しており、土壌が有する成分の濃度に依存して、照射光５７が吸収される。発色用試薬が封入されていないチップ５１のセルが設けられている場合には、該セルでは、混合液は呈色反応を示さず、照射光５７は吸収されない。
【００６１】
分析用発光部５４から出射され、それぞれのセルを透過し、分析用受光部５５によって受光された照射光５７の光強度は、制御部２へと信号として送られる。制御部２においてあらかじめデータとして保持していた土壌抽出液の光強度との差から、混合液の吸光度を算出することにより、土壌が有する成分の濃度を算出することができる。また、発色用試薬が封入されていないチップ５１のセルが設けられている場合には、呈色反応を示しているセルとの光強度の差から、より正確に吸光度を算出し、土壌が有する成分の濃度を算出することができる。
【００６２】
以上のように、本実施形態における液体成分分析装置１では、土壌抽出液の吸光度を測定する前に、土壌抽出液の濁度を測定し、その結果に基づいて、土壌抽出液の吸光度を測定するかどうかを判定する。これにより、試料格納容器２０に注入された土壌抽出液の濁度が高い場合においては、吸光度の測定を行わないようにできるため、測定精度の低い吸光度の測定を行うことを回避することができ、かつ、土壌抽出液および発色用試薬の損失を防ぐことができる。
【００６３】
また、試料格納容器２０内の土壌抽出液の濁度を透過度によって定量的に測定しているので、測定者が濁度を目視で確認して測定を行う場合に比べて、正確に濁度を測定することができ、その結果、測定精度の高い吸光度の測定を行うことができる。
【００６４】
さらに、試料格納容器２０に注入された土壌抽出液の濁度が測定可能と判定した際に、試料格納容器２０から試料成分測定部５０のチップ５１へ土壌抽出液を自動で供給することができるので、測定作業が簡便である。
【００６５】
さらに、チップ５１が複数のセルを備えている場合では、複数のセルは、回転軸５１ａを中心とした同一円周上に設けられているので、回転機構５６によりチップ５１を回転させることで、複数の発色用試薬に対して測定を行うことができる。これにより、土壌の複数の成分に対して測定を行うことができるので、効率の良い測定を行うことができる。
【００６６】
〔実施形態２〕
本発明の他の実施形態について、図６に基づいて説明すれば、以下のとおりである。なお、説明の便宜上、前記実施形態において説明した部材と同じ機能を有する部材については、同じ符号を付記し、その説明を省略する。
【００６７】
実施形態１に係る液体成分分析装置１では、土壌抽出液の濁度を測定するための発光部１０、および土壌抽出液の成分濃度を測定するための分析用発光部５４がそれぞれ設けられていた。
【００６８】
これに対して、実施形態２に係る液体成分分析装置１Ａでは、土壌抽出液の濁度を測定するための発光部６１が、土壌抽出液の濁度を測定するための発光部と、土壌抽出液の成分濃度を測定するための分析用発光部とを兼ねる点が異なっている。
【００６９】
実施形態２に係る液体成分分析装置１Ａについて図６に基づいて説明する。図６は、液体成分分析装置１Ａの発光部６１、試料格納容器２０、受光部３０、液供給機構４０、および試料成分測定部５０Ａを示したものであり、図６の（ａ）は、発光部６１から照射された照射光１４が試料格納容器２０へ向けて出射された様子を示す概略図であり、図６の（ｂ）は、発光部６１から照射された照射光１４がチップ５１へ向けて出射された様子を示す概略図である。
【００７０】
液体成分分析装置１Ａは、図６の（ａ）（ｂ）に示すように、発光部６１と、発光部回転機構６０とを備えている。発光部回転機構６０は制御部２Ａと接続されている。発光部回転機構６０には、発光部６１が接続されており、制御部２Ａからの信号により、発光部６１を発光部回転機構６０の周りに回転させることができるように構成されている。
【００７１】
発光部６１は、白色ＬＥＤにて構成されている。また、発光部６１は、光源の波長を変更できるように構成されているとより好ましい。これにより、発光部６１は、分析を行いたい成分に対応した波長を有する光を射出できるように構成することができる。
【００７２】
試料格納容器２０に注入された土壌抽出液の濁度を測定する場合には、図６の（ａ）に示すように、発光部回転機構６０によって、発光部６１を試料格納容器２０側に回転させる。これにより、発光部６１から出射された照射光１４は、試料格納容器２０を透過し、受光部３０に受光される。受光部３０によって受光された照射光１４の光強度は、制御部２Ａへと信号として伝達される。
【００７３】
チップ５１のセル内の土壌抽出液の成分濃度を測定する場合には、図６の（ｂ）に示すように、発光部回転機構６０によって、発光部６１を試料成分測定部５０Ａ側に回転させる。これにより、発光部１０から出射された照射光１４は、チップ５１内のセルを通過し、分析用受光部５５により受光される。分析用受光部５５によって受光された照射光１４の光強度は、制御部２Ａへと信号として伝達される。
【００７４】
以上のように、土壌抽出液の濁度を測定するための発光部と、土壌抽出液の成分濃度を測定するための発光部とを、１つの発光部６１によって構成することができる。これにより、発光部の数を少なくすることができるので、液体成分分析装置１Ａの構成を簡単にすることができ、よりコンパクトな液体成分分析装置１Ａとすることができる。
【００７５】
〔実施形態３〕
本発明の他の実施形態について、図７に基づいて説明すれば、以下のとおりである。なお、説明の便宜上、前記実施形態において説明した部材と同じ機能を有する部材については、同じ符号を付記し、その説明を省略する。
【００７６】
本実施形態に係る液体成分分析装置１Ｂは、液供給機構４０Ｂの構成が、実施形態１、２に係る液体成分分析装置１・１Ａの液供給機構４０の構成と異なる。
【００７７】
実施形態３に係る液体成分分析装置１Ｂについて図７に基づいて説明する。図７は、液体成分分析装置１Ｂの液供給機構４０Ｂの構成を示す概略図である。
【００７８】
図７に示すように、液体成分分析装置１Ｂの液供給機構４０Ｂは、チューブポンプ４１と、注入ノズル４２と、一時格納容器７１と、２つの電磁弁７２ａ・７２ｂと、２つの液通過路７３ａ・７３ｂと、濾紙収納容器７４（濾過部）とを備えている。
【００７９】
一時格納容器７１は、チューブポンプ４１により、試料格納容器２０から注入ノズル４２を介して送り出された土壌抽出液を一時的に格納するための容器である。一時格納容器７１の底面には、２つの排水溝が設けられており、１つの排水溝に対して１つの電磁弁７２（電磁弁７２ａまたは電磁弁７２ｂ）がそれぞれ設けられている。
【００８０】
電磁弁７２ａ・７２ｂは、制御部（図示せず）と接続されており、制御部からの信号により、それぞれ独立して開封と封鎖を行うことができるようになっている。
【００８１】
液通過路７３ａは、電磁弁７２ａの下側に接続されている。電磁弁７２ａが開封されると、一時格納容器７１に格納されていた土壌抽出液が、液通過路７３ａを通過し、試料成分測定部５０のチップ５１に土壌抽出液が滴下・分注される。
【００８２】
液通過路７３ｂは、電磁弁７２ｂの下側に接続されており、液通過路７３ｂの途中には、濾紙収納容器７４が設けられている。濾紙収納容器７４は、液通過路７３ｂから容易に取り外しができるようになっており、内部に濾紙を設置できるようになっている。電磁弁７２ｂが開封されると、一時格納容器７１に格納されていた土壌抽出液が、液通過路７３ｂと濾紙収納容器７４とを通過して、試料成分測定部５０のチップ５１に滴下・分注される。濾紙収納容器７４を通過する際に、土壌抽出液は濾紙収納容器７４内の濾紙により濾過される。
【００８３】
次に、液体成分分析装置１Ｂの動作について説明する。なお、説明の便宜上、前記実施形態１において説明した動作については、その説明を省略する。
【００８４】
まず、試料格納容器２０に土壌抽出液を注入する。その後、発光部１０から照射光１４が出射され、試料格納容器２０を透過して、受光部３０によって受光される。この時、受光部３０によって受光された照射光１４の光強度Ｉが制御部へと伝達され、その強度に基づき、その後に行う動作が決定される。
【００８５】
まず、光強度Ｉが設定値Ａ以上であるかどうかを判定する。光強度Ｉが設定値Ａ以上であった場合、試料格納容器２０内に十分な量の土壌抽出液が注入されていないと判定し、警告部３を動作させた後、液体成分分析装置１Ｂの動作を終了させる。
【００８６】
光強度Ｉが設定値Ａ未満であった場合、次に光強度Ｉが設定値Ｂ以下であるかを判定する。その後、チューブポンプ４１を駆動させることにより、試料格納容器２０内の土壌抽出液は、注入ノズル４２を介して一時格納容器７１に注入される。この時点では、電磁弁７２ａ・７２ｂはともに封鎖された状態である。
【００８７】
ここで、光強度Ｉが設定値Ｂよりも大きかった場合、制御部からの信号により電磁弁７２ａを開封することで、土壌抽出液は液通過路７３ａを通過し、試料成分測定部５０のチップ５１のセル内に滴下・分注される。
【００８８】
一方、光強度Ｉが設定値Ｂ以下であった場合、つまり試料格納容器２０内の土壌抽出液の濁度が高すぎる場合には、制御部からの信号により電磁弁７２ｂを開封することで、土壌抽出液は液通過路７３ｂと濾紙収納容器７４とを通過し、試料成分測定部５０のチップ５１に滴下・分注される。土壌抽出液は、濾紙収納容器７４を通過する際に、濾紙収納容器７４内の濾紙を通過することで濾過される。これにより、試料成分測定部５０のチップ５１に滴下・分注される土壌抽出液の濁度を小さくすることができ、試料成分測定部５０において測定する吸光度の測定精度を向上させることができる。
【００８９】
以上のように液体成分分析装置１Ｂを構成することにより、試料格納容器２０に注入された土壌抽出液の濁度が高い場合においても、自動で土壌抽出液を濾紙収納容器７４内の濾紙により濾過することができるので、より簡易な操作で土壌成分の測定を行うことが可能になる。
【００９０】
〔実施形態４〕
本発明の他の実施形態について、図８に基づいて説明すれば、以下のとおりである。なお、説明の便宜上、前記実施形態において説明した部材と同じ機能を有する部材については、同じ符号を付記し、その説明を省略する。
【００９１】
本実施形態に係る液体成分分析装置１Ｃは、実施形態３に係る液体成分分析装置１Ｂと構成部材は同様であるが、一時格納容器７１、電磁弁７２ａ・７２ｂ、および液通過路７３ａ・７３ｂが配される位置が実施形態３に係る液体成分分析装置１Ｂと異なる。
【００９２】
実施形態４に係る液体成分分析装置１Ｃについて図８に基づいて説明する。図８は、液体成分分析装置１Ｃの試料格納容器２０および液供給機構４０Ｃの構成を示す概略図である。
【００９３】
図８に示すように、液体成分分析装置１Ｃでは、一時格納容器７１が試料格納容器２０の上方に配置されている。一時格納容器７１の底面には、２つの排水溝が設けられており、１つの排水溝に対して１つの電磁弁７２（電磁弁７２ａまたは電磁弁７２ｂ）がそれぞれ設けられている。
【００９４】
電磁弁７２ａ・７２ｂは、制御部と接続されており、制御部からの信号により、それぞれ独立して開封と封鎖を行うことができるようになっている。
【００９５】
液通過路７３ａは、電磁弁７２ａの下側に接続されている。電磁弁７２ａが開封されると、一時格納容器７１に格納されていた土壌抽出液は、液通過路７３ａを通過し、土壌抽、試料成分測定部５０のチップ５１に滴下・分注される。
【００９６】
液通過路７３ｂは、電磁弁７２ｂの下側に接続されており、液通過路７３ｂの途中には、濾紙収納容器７４が設けられている。また、液通過路７３ｂの下端は試料格納容器２０に接続されている。濾紙収納容器７４は、液通過路７３ｂから容易に取り外しができるようになっており、内部に濾紙を設置できるようになっている。電磁弁７２ｂが開封されると、一時格納容器７１に格納されていた土壌抽出液が、液通過路７３ｂと濾紙収納容器７４とを通過して、再び試料格納容器２０に注入される。濾紙収納容器７４を通過する際に、土壌抽出液は濾紙収納容器７４内の濾紙により濾過される。
【００９７】
次に、液体成分分析装置１Ｃの動作について説明する。なお、説明の便宜上、前記実施形態１において説明した動作については、その説明を省略する。
【００９８】
まず、試料格納容器２０に土壌抽出液を注入する。その後、発光部１０から照射光１４が出射され、試料格納容器２０を透過して、受光部３０によって受光される。この時、受光部３０によって受光された照射光１４の光強度Ｉが制御部へと伝達され、その強度に基づき、その後に行う動作が決定される。
【００９９】
まず、光強度Ｉが設定値Ａ以上であるかどうかを判定する。光強度Ｉが設定値Ａ以上であった場合、試料格納容器２０内に十分な量の土壌抽出液が注入されていないと判定し、警告部３を動作させた後、液体成分分析装置１Ｃの動作を終了させる。
【０１００】
光強度Ｉが設定値Ａ未満であった場合、次に光強度Ｉが設定値Ｂ以下であるかを判定する。その後、チューブポンプ４１を駆動させることにより、試料格納容器２０内の土壌抽出液は、注入ノズル４２を介して一時格納容器７１に注入される。この時点では、電磁弁７２ａ・７２ｂはともに封入された状態である。
【０１０１】
ここで、光強度Ｉが設定値Ｂよりも大きかった場合、制御部からの信号により電磁弁７２ａを開封することで、土壌抽出液は液通過路７３ａを通過し、試料成分測定部５０のチップ５１のセル内に滴下・分注される。
【０１０２】
一方、光強度Ｉが設定値Ｂ以下であった場合、つまり試料格納容器２０内の土壌抽出液の濁度が高すぎる場合には、制御部からの信号により電磁弁７２ｂを開封することで、土壌抽出液は液通過路７３ｂと濾紙収納容器７４とを通過し、再び試料格納容器２０に注入される。土壌抽出液は、濾紙収納容器７４を通過する際に、濾紙収納容器７４内の濾紙を通過することで濾過される。
【０１０３】
以上のように液体成分分析装置１Ｃを構成することにより、土壌抽出液は、受光部３０で受光した光強度Ｉが設定値Ｂより大きくなるまで、つまり、土壌抽出液が測定可能な濁度になるまで、濾紙収納容器７４内の濾紙により繰り返し濾過される。これにより、実施形態１〜３の液体成分分析装置１・１Ａ・１Ｂと比べて、簡易な操作で、より正確な土壌成分の測定が可能となる。
【０１０４】
〔実施形態５〕
本発明の他の実施形態について説明すれば、以下のとおりである。なお、説明の便宜上、前記実施形態において説明した部材と同じ機能を有する部材については、同じ符号を付記し、その説明を省略する。
【０１０５】
図９は、本発明の実施形態５に係る液体成分分析装置１Ｄの構成を示す概略図である。
【０１０６】
一般的に吸光度は、土壌抽出液の発色前の透過率と発色後の透過率との差分により算出する。実施形態１においては、土壌抽出液の発色前の光強度（透過率）をあらかじめ想定し、データとして制御部２に入力しておく、もしくはチップ５１内に、発色用試薬を封入していないセルを少なくとも１つ用意し、土壌抽出液と希釈液との混合物の光強度（透過率）の測定を行い、発色用試薬と土壌抽出液と希釈液とを混合して発色させた混合物の光強度（透過率）との差分から、制御部２は吸光度を求めていた。しかし、前者の場合には、実際の土壌抽出液のみの光強度（透過率）の測定を行わないため、測定誤差が大きくなってしまい、後者の場合には、チップ５１内に発色用試薬を封入しないためのセルを設ける必要があり、チップ５１のサイズが大きくなってしまう。
【０１０７】
以上の問題点を解決するために、本実施形態に係る液体成分分析装置１Ｄは、発光部１０から照射光１４が出射され、土壌抽出液が格納された試料格納容器２０を透過して、受光部３０によって受光された照射光１４の光強度（透過率）と、分析用発光部５４から出射され、発色用試薬と土壌抽出液と希釈液との混合液が格納されたチップ５１内のセルを透過し、分析用受光部５５によって受光された照射光５７の光強度（透過率）との差分から、制御部２Ｄは吸光度を算出する。
【０１０８】
上記のように測定を行うことにより、本実施形態に係る液体成分分析装置１Ｄでは、チップ５１に発色用試薬を封入しないためのセルを設ける必要がなくなるのでチップ５１を小型化することができる。また、比較のための測定を行っているので、正確な土壌成分の測定が可能になる。さらに、試料成分測定部５０において、発色していない土壌抽出液の測定する必要がなくなるので、実施形態１に係る液体成分分析装置１と比べて、測定時間を短くすることができる。
【０１０９】
〔実施形態６〕
本発明の他の実施形態について、図１０に基づいて説明すれば、以下のとおりである。なお、説明の便宜上、前記実施形態において説明した部材と同じ機能を有する部材については、同じ符号を付記し、その説明を省略する。
【０１１０】
図１０は、実施形態６に係る液体成分分析装置１Ｅの構成を示す概略図である。
【０１１１】
試料の発色による吸光度測定においては、試料の濁度が光の吸収に寄与するため、発色前の土壌抽出液の濁度が大きいほど、吸光度の測定誤差が大きくなる。
【０１１２】
そこで、本実施形態に係る液体成分分析装置１Ｅでは、受光部３０によって受光された照射光１４の光強度Ｉが設定値Ｂ以下である、つまり試料格納容器２０に注入された土壌抽出液の濁度が測定可能な範囲ではあるが、濁度が比較的大きい場合における動作が実施形態１における液体成分分析装置１とは異なる。
【０１１３】
具体的には、試料格納容器２０に注入された土壌抽出液の濁度が測定可能な範囲ではあるが、濁度が比較的大きいと制御部２Ｅが判断した場合、図１０に示すように、制御部２Ｅからの信号により、液供給機構４０Ｅは試料格納容器２０からチップ５１内のセルに注入される土壌抽出液の量を規定量よりも少なくする。これにより、土壌抽出液を希釈する際の希釈率を増加することができるので、土壌抽出液の濁度を小さくすることができる。したがって、吸光度の測定精度を向上させることができる。また、土壌抽出液の濁度に対応させて、液供給機構４０Ｅによって試料格納容器２０からチップ５１内のセルに注入される土壌抽出液の量を調整してもよい。これにより、さらに吸光度の測定精度を向上させることができる。
【０１１４】
〔実施形態７〕
本発明の他の実施形態について、図１１に基づいて説明すれば、以下のとおりである。なお、説明の便宜上、前記実施形態において説明した部材と同じ機能を有する部材については、同じ符号を付記し、その説明を省略する。
【０１１５】
図１１は、実施形態７に係る液体成分分析装置１Ｆの構成を示す概略図である。
【０１１６】
本実施形態に係る液体成分分析装置１Ｆでは、受光部３０によって受光された照射光１４の光強度Ｉが設定値Ｂ以下である、つまり試料格納容器２０に注入された土壌抽出液の濁度が測定可能な範囲ではあるが、濁度が比較的大きい場合における動作が実施形態１における液体成分分析装置１とは異なる。
【０１１７】
具体的には、試料格納容器２０に注入された土壌抽出液の濁度が測定可能な範囲ではあるが、濁度が比較的大きい場合と制御部２Ｆが判断した場合、図１１に示すように、制御部２Ｆからの信号により、希釈液供給機構５３Ｆは希釈液格納容器５２からチップ５１内のセルに注入される希釈液の量を規定量よりも多くする。これにより、土壌抽出液を希釈する際の希釈率を増加することができるので、土壌抽出液の濁度を小さくすることができる。したがって、吸光度の測定精度を向上させることができる。また、土壌抽出液の濁度に対応させて、希釈液供給機構５３Ｆによって希釈液格納容器５２からチップ５１内のセルに注入される希釈液の量を調整してもよい。これにより、さらに吸光度の測定精度を向上させることができる。
【０１１８】
〔まとめ〕
本発明の態様１に係る液体成分分析装置１・１Ａ〜１Ｆは、検査液（土壌抽出液）を格納する格納容器（試料格納容器２０）と、前記格納容器（試料格納容器２０）から送液された検査液の成分を分析するための分析容器（チップ５１）と、前記分析容器（チップ５１）内の検査液に光を照射する第１照射部（分析用発光部５４、発光部６１）と、前記分析容器（チップ５１）内の検査液を透過した光を受光する第１受光部（分析用受光部５５）と、前記第１受光部（分析用受光部５５）が受光した透過光量に基づいて前記検査液の成分を分析する分析部（制御部２・２Ａ・２Ｄ〜２Ｆ）と、前記分析容器（チップ５１）に送液する前に前記格納容器（試料格納容器２０）内の検査液の濁度を測定する濁度測定部（発光部１０、受光部３０、制御部２・２Ａ・２Ｄ〜２Ｆ）とを備えることを特徴としている。
【０１１９】
この特徴によれば、検査液の成分を分析する前に、検査液の濁度を測定するので、検査液の濁度が高い場合には、検査液の成分の分析を行わないようにすることができる。これにより、測定作業が効率的になり、さらに、測定精度の良い測定を行うことができる。
【０１２０】
本発明の態様２に係る液体成分分析装置１・１Ａ〜１Ｆは、上記態様１において、前記濁度測定部（発光部１０、受光部３０、制御部２・２Ａ・２Ｄ〜２Ｆ）により測定された検査液（土壌抽出液）の濁度に基づいて、前記検査液の成分の分析が可能か否かを判定する判定部（制御部２・２Ａ・２Ｄ〜２Ｆ）をさらに備えていることが好ましい。
【０１２１】
上記の構成によれば、検査液を分析容器に送液する前に、判定部が濁度測定部により測定された検査液の濁度に基づいて、検査液の成分の分析が可能か否かを判定する。この判定により、検査液の成分の分析が不可能であると判定された場合には、検査液を分析容器に送液しないようにすることができる。これにより、検査液の成分の分析を行わないようにすることができるので、測定作業が効率的になる。
【０１２２】
本発明の態様３に係る液体成分分析装置１・１Ａ〜１Ｆは、上記態様２において、前記格納容器（試料格納容器２０）から前記分析容器（チップ５１）に前記検査液（土壌抽出液）を送液する送液器（液供給機構４０・４０Ｂ・４０Ｃ・４０Ｅ）をさらに備え、前記検査液の成分の分析が可能と前記判定部（制御部２・２Ａ・２Ｄ〜２Ｆ）が判断した場合に前記検査液を送液し、前記検査液の成分の分析が不可能と前記判定部（制御部２・２Ａ〜２Ｆ）が判断した場合に前記検査液を送液しないように前記送液器（液供給機構４０・４０Ｂ・４０Ｃ・４０Ｅ）を制御する制御部２・２Ａ・２Ｄ〜２Ｆをさらに備えていることが好ましい。
【０１２３】
上記の構成によれば、格納容器に注入された検査液の成分の分析が可能と判定した場合に、送液器により、検査液を格納容器から分析容器へ自動で供給することができるので、測定作業が簡便にすることができる。
【０１２４】
本発明の態様４に係る液体成分分析装置１・１Ａ〜１Ｆは、上記態様１〜３のいずれか一態様において、前記濁度測定部が、前記格納容器（試料格納容器２０）内の検査液（土壌抽出液）に光を照射する第２照射部（発光部１０）と、前記格納容器（試料格納容器２０）内の検査液を透過した光を受光する第２受光部（受光部３０）と、前記第２受光部（受光部３０）が受光した透過光量に基づいて前記検査液の濁度を測定する測定部（制御部２・２Ａ・２Ｄ〜２Ｆ）とを有する構成であることが好ましい。
【０１２５】
上記の構成によれば、第２受光部が受光した透過光量に基づいて前記検査液の濁度を測定するので、検査液の濁度を定量的に算出することができる。その結果、測定者が検査液の濁度を目視で確認して測定を行う場合に比べて、正確に検査液の濁度を測定することができる。
【０１２６】
本発明の態様５に係る液体成分分析装置１Ａは、上記態様１〜３において、前記第１照射部（発光部６１）は、前記分析容器（チップ５１）内の検査液（土壌抽出液）に光を照射する第１方向と、前記格納容器（試料格納容器２０）内の検査液に光を照射する第２方向とに光の出射方向が切り替え可能に設けられ、前記濁度測定部が、前記第１照射部（発光部６１）により第２方向に出射されて前記格納容器（試料格納容器２０）内の検査液を透過した光を受光する第２受光部（受光部３０）と、前記第２受光部（受光部３０）が受光した透過光量に基づいて前記検査液の濁度を測定する測定部（制御部２Ａ）とを有し、前記第１受光部（分析用受光部５５）は、前記第１照射部（発光部６１）により第１方向に出射されて前記分析容器（チップ５１）内の検査液を透過した光を受光する構成としてもよい。
【０１２７】
上記の構成によれば、検査液の濁度を測定するために格納容器内の検査液に対して光を照射する照射部と、検査液の成分の分析をするために分析容器内の検査液に対して光を照射する照射部とを、１つの照射部にて構成することができる。これにより、液体成分分析装置の構成を簡単にすることができ、よりコンパクトな液体成分分析装置とすることができる。
【０１２８】
本発明の態様６に係る液体成分分析装置１Ｂ・１Ｃは、上記態様２または３において、前記検査液（土壌抽出液）の成分の分析が不可能と前記判定部（制御部）が判断した場合に、前記格納容器（試料格納容器２０）から供給された検査液を濾過する濾過部（濾紙収納容器７４）をさらに備える構成であることが好ましい。
【０１２９】
上記の構成によれば、液格納容器に注入された検査液の濁度が高い場合においても、自動で検査液を濾過部において濾過することができるので、検査液の濁度を低下させることができる。これにより、検査液の成分の分析の精度を向上させることができる。
【０１３０】
本発明の態様７に係る液体成分分析装置１Ｂは、上記態様６において、前記濾過部（濾紙収納容器７４）により濾過された検査液（土壌抽出液）が前記分析容器（チップ５１）に供給される構成であってもよい。
【０１３１】
上記の構成によれば、格納容器に注入された検査液の濁度が高い場合において、自動で検査液を濾過部において濾過し、分析容器に注入することができるので、より簡易な操作で検査液の成分の測定を行うことができる。
【０１３２】
本発明の態様８に係る液体成分分析装置１Ｃは、上記態様６において、前記濾過部（濾紙収納容器７４）により濾過された検査液（土壌抽出液）が前記格納容器（試料格納容器２０）に供給される構成であってもよい。
【０１３３】
上記の構成によれば、検査液の濁度が、検査液の成分の分析が行うことができる濁度まで低下するまで、繰り返して濾過することができる。これにより、検査液の成分の分析精度をさらに向上させることができる。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３５】
本発明は、液体成分分析装置、特に土壌成分の分析に好適な液体成分分析装置に利用することができる。
【符号の説明】
【０１３６】
１、１Ａ〜１Ｆ              液体成分分析装置
２、２Ａ、２Ｄ〜２Ｆ        制御部（濁度測定部、分析部、判定部、測定部）
１０                          発光部（濁度測定部、第２照射部）
２０                          試料格納容器（格納容器）
３０                          受光部（濁度測定部、第２受光部）
４０、４０Ｂ、４０Ｃ、４０Ｅ  液供給機構（送液器）
５０、５０Ａ                  試料成分測定部
５１                          チップ（分析容器）
５４                          分析用発光部（第１照射部）
５５                          分析用受光部（第１受光部）
６０                          発光部回転機構
６１                          発光部（第１照射部）
７４                          濾紙収納容器（濾過部）
【図１】
2016218020.tif 000003
【図２】
2016218020.tif 000004
【図３】
2016218020.tif 000005
【図４】
2016218020.tif 000006
【図５】
2016218020.tif 000007
【図６】
2016218020.tif 000008
【図７】
2016218020.tif 000009
【図８】
2016218020.tif 000010
【図９】
2016218020.tif 000011
【図１０】
2016218020.tif 000012
【図１１】
2016218020.tif 000013
【図１２】
2016218020.tif 000014